(57)【要約】  ここに開示される態様は、１つまたは複数のＲＡＴと関連付けられたＲＦアクティビティを監視することを通じてＮＦＣ ＲＦ発見を改善することに関する。１つの例では、第１のＮＦＣデバイスは、第１のＲＡＴおよびＮＦＣの両方を使用するように構成されうる。第１のＮＦＣデバイスは、第２のＮＦＣデバイスがしきい値内にある少なくともより高い可能性があるかどうかを決定するために、第１のＲＡＴ上のＲＦアクティビティを監視しうる。ＮＦＣデバイスはまた、この決定に基づいて、ＮＦＣ ＲＦ発見ループにおけるポーリングモード間の少なくとも１つのインターバルを修正するように構成されうる。
2015525517.tif 000002
【特許請求の範囲】
【請求項１】
通信の方法であって、
第１の近距離無線通信（ＮＦＣ）デバイスによって使用される第１の無線アクセス技術（ＲＡＴ）の無線周波数（ＲＦ）アクティビティを監視することと、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定することと、
前記決定に基づいて、ＮＦＣ ＲＦ発見ループにおけるポーリングモード間の少なくとも１つのインターバルを修正することと
を備える方法。
【請求項２】
前記監視することは、第１の時間と、前記第１の時間の後の第２の時間とにおいて、前記第１のＲＡＴの信号強度値を監視することをさらに備え、
前記決定することは、前記第２の時間において監視された前記第１のＲＡＴの前記信号強度値が、前記第１の時間において監視された前記第１のＲＡＴの前記信号強度値よりも大きいことを決定することをさらに備える、
請求項１に記載の方法。
【請求項３】
前記決定することは、前記第２の時間において監視された前記第１のＲＡＴの前記信号強度値が、電力しきい値を超えていることを決定することをさらに備える、請求項２に記載の方法。
【請求項４】
前記監視することは、前記第２のＮＦＣデバイスの存在を示すパラメータを含む信号を検出することをさらに備え、
前記決定することは、前記信号における前記パラメータの前記存在に基づいて、前記第２のＮＦＣデバイスが前記しきい値範囲内にあることを決定することをさらに備える、
請求項１に記載の方法。
【請求項５】
前記修正することは、各ＮＦＣ ＲＦ技術についてのポーリングの発生を修正することをさらに備える、請求項１に記載の方法。
【請求項６】
前記監視することは、前記第１のＲＡＴの信号強度値を監視することをさらに備え、
前記修正することは、前記監視された信号強度に基づいて、ポーリングモード間の前記インターバルを減少させることをさらに備える、
請求項１に記載の方法。
【請求項７】
前記監視することは、第１の時間と、前記第１の時間の後の第２の時間とにおいて、前記第１のＲＡＴの前記信号強度値を監視することをさらに備え、
前記修正することは、前記第１の時間と前記第２の時間の間の前記信号強度値における変化に対して比例して、ポーリングモード間の前記インターバルを減少させることをさらに備える、
請求項６に記載の方法。
【請求項８】
前記修正することは、前記第１のＮＦＣデバイスについての電力消費効率を改善するように、ポーリングモード間の前記インターバルを修正することをさらに備える、請求項１に記載の方法。
【請求項９】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項１に記載の方法。
【請求項１０】
前記第２のＮＦＣデバイスは、ピアＮＦＣデバイスと、リーダデバイスと、ライタデバイスと、タグと、カードと、から成るグループのうちの１つである、請求項１に記載の方法。
【請求項１１】
コンピュータプログラム製品であって、
第１の近距離無線通信（ＮＦＣ）デバイスによって使用される第１の無線アクセス技術（ＲＡＴ）の無線周波数（ＲＦ）アクティビティを監視するためのコードと、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定するためのコードと、
前記決定に基づいて、ＮＦＣ ＲＦ発見ループにおけるポーリングモード間の少なくとも１つのインターバルを修正するためのコードと
を備えるコンピュータ可読媒体、
を備えるコンピュータプログラム製品。
【請求項１２】
前記コンピュータ可読媒体は、
第１の時間と、前記第１の時間の後の第２の時間とにおいて、前記第１のＲＡＴの信号強度値を監視するためのコードと、
前記第２の時間において監視された前記第１のＲＡＴの前記信号強度値が、前記第１の時間において監視された前記第１のＲＡＴの前記信号強度値よりも大きいことを決定するためのコードと
をさらに備える、請求項１１に記載のコンピュータプログラム製品。
【請求項１３】
前記コンピュータ可読媒体は、前記第２の時間において監視された前記第１のＲＡＴの前記信号強度値が、電力しきい値を超えていることを決定するためのコードをさらに備える、請求項１２に記載のコンピュータプログラム製品。
【請求項１４】
前記コンピュータ可読媒体は、
前記第２のＮＦＣデバイスの存在を示すパラメータを含む信号を検出するためのコードと、
前記信号における前記パラメータの前記存在に基づいて、前記第２のＮＦＣデバイスが前記しきい値範囲内にあることを決定するためのコードと
をさらに備える、請求項１１に記載のコンピュータプログラム製品。
【請求項１５】
前記コンピュータ可読媒体は、各ＮＦＣ ＲＦ技術についてのポーリングの発生を修正するためのコードをさらに備える、請求項１１に記載のコンピュータプログラム製品。
【請求項１６】
前記コンピュータ可読媒体は、
前記第１のＲＡＴの信号強度値を監視するためのコードと、
前記監視された信号強度に基づいて、ポーリングモード間の前記インターバルを減少させるためのコードと
をさらに備える、請求項１１に記載のコンピュータプログラム製品。
【請求項１７】
前記コンピュータ可読媒体は、
第１の時間と、前記第１の時間の後の第２の時間とにおいて、前記第１のＲＡＴの前記信号強度値を監視するためのコードと、
前記第１の時間と前記第２の時間の間の前記信号強度値における変化に対して比例して、ポーリングモード間の前記インターバルを減少させるためのコードと
をさらに備える、請求項１６に記載のコンピュータプログラム製品。
【請求項１８】
前記コンピュータ可読媒体は、前記第１のＮＦＣデバイスについての電力消費効率を改善するように、ポーリングモード間の前記インターバルを修正するためのコードをさらに備える、請求項１１に記載のコンピュータプログラム製品。
【請求項１９】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項１１に記載のコンピュータプログラム製品。
【請求項２０】
前記第２のＮＦＣデバイスは、ピアＮＦＣデバイスと、リーダデバイスと、ライタデバイスと、タグと、カードと、から成るグループのうちの１つである、請求項１１に記載のコンピュータプログラム製品。
【請求項２１】
通信のための装置であって、
第１の近距離無線通信（ＮＦＣ）デバイスによって使用される第１の無線アクセス技術（ＲＡＴ）の無線周波数（ＲＦ）アクティビティを監視するための手段と、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定するための手段と、
前記決定に基づいて、ＮＦＣ ＲＦ発見ループにおけるポーリングモード間の少なくとも１つのインターバルを修正するための手段と
を備える装置。
【請求項２２】
前記監視するための手段は、第１の時間と、前記第１の時間の後の第２の時間とにおいて、前記第１のＲＡＴの信号強度値を監視するための手段をさらに備え、
前記決定するための手段は、前記第２の時間において監視された前記第１のＲＡＴの前記信号強度値が、前記第１の時間において監視された前記第１のＲＡＴの前記信号強度値よりも大きいことを決定するための手段をさらに備える、
請求項２１に記載の装置。
【請求項２３】
前記決定するための手段は、前記第２の時間において監視された前記第１のＲＡＴの前記信号強度値が、電力しきい値を超えていることを決定するための手段をさらに備える、請求項２２に記載の装置。
【請求項２４】
前記監視するための手段は、前記第２のＮＦＣデバイスの存在を示すパラメータを含む信号を検出するための手段をさらに備え、
前記決定するための手段は、前記信号における前記パラメータの前記存在に基づいて、前記第２のＮＦＣデバイスが前記しきい値範囲内にあることを決定するための手段をさらに備える、
請求項２１に記載の装置。
【請求項２５】
前記修正するための手段は、各ＮＦＣ ＲＦ技術についてのポーリングの発生を修正するための手段をさらに備える、請求項２１に記載の装置。
【請求項２６】
前記監視するための手段は、前記第１のＲＡＴの信号強度値を監視するための手段をさらに備え、
前記修正するための手段は、前記監視された信号強度に基づいて、ポーリングモード間の前記インターバルを減少させるための手段をさらに備える、
請求項２１に記載の装置。
【請求項２７】
前記監視するための手段は、第１の時間と、前記第１の時間の後の第２の時間とにおいて、前記第１のＲＡＴの前記信号強度値を監視するための手段をさらに備え、
前記修正するための手段は、前記第１の時間と前記第２の時間の間の前記信号強度値における変化に対して比例して、ポーリングモード間の前記インターバルを減少させるための手段をさらに備える、
請求項２６に記載の装置。
【請求項２８】
前記修正するための手段は、前記第１のＮＦＣデバイスについての電力消費効率を改善するように、ポーリングモード間の前記インターバルを修正するための手段をさらに備える、請求項２１に記載の装置。
【請求項２９】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項２１に記載の装置。
【請求項３０】
前記第２のＮＦＣデバイスは、ピアＮＦＣデバイスと、リーダデバイスと、ライタデバイスと、タグと、カードと、から成るグループのうちの１つである、請求項２１に記載の装置。
【請求項３１】
通信のためのＮＦＣデバイスであって、
メモリと、
前記メモリに結合されたプロセッサと、
前記メモリまたは前記プロセッサのうちの少なくとも１つに結合され、かつ、
第１の近距離無線通信（ＮＦＣ）デバイスによって使用される第１の無線アクセス技術（ＲＡＴ）の無線周波数（ＲＦ）アクティビティを監視し、ここにおいて、前記第１のＲＡＴは、前記第１のＮＦＣデバイスによって使用されるＮＦＣ ＲＦ技術とは異なる、
前記第１のＲＡＴの前記監視されたＲＦアクティビティに基づいて、第２のＮＦＣデバイスがしきい値範囲内にある少なくともより高い可能性を決定し、
前記決定に基づいて、ＮＦＣ ＲＦ発見ループにおけるポーリングモード間の少なくとも１つのインターバルを修正する
ように構成されたＲＦアクティビティモジュールと
を備えるＮＦＣデバイス。
【請求項３２】
前記ＲＦアクティビティモジュールは、
第１の時間と、前記第１の時間の後の第２の時間とにおいて、前記第１のＲＡＴの信号強度値を監視し、
前記第２の時間において監視された前記第１のＲＡＴの前記信号強度値が、前記第１の時間において監視された前記第１のＲＡＴの前記信号強度値よりも大きいことを決定する
ようにさらに構成される、請求項３１に記載のＮＦＣデバイス。
【請求項３３】
前記ＲＦアクティビティモジュールは、前記第２の時間において監視された前記第１のＲＡＴの前記信号強度値が、電力しきい値を超えていることを決定するようにさらに構成される、請求項３２に記載のＮＦＣデバイス。
【請求項３４】
前記ＲＦアクティビティモジュールは、
前記第２のＮＦＣデバイスの存在を示すパラメータを含む信号を検出し、
前記信号における前記パラメータの前記存在に基づいて、前記第２のＮＦＣデバイスが前記しきい値範囲内にあることを決定する
ようにさらに構成される、請求項３１に記載のＮＦＣデバイス。
【請求項３５】
前記ＲＦアクティビティモジュールは、各ＮＦＣ ＲＦ技術についてのポーリングの発生を修正するようにさらに構成される、請求項３１に記載のＮＦＣデバイス。
【請求項３６】
前記ＲＦアクティビティモジュールは、
前記第１のＲＡＴの信号強度値を監視し、
前記監視された信号強度に基づいて、ポーリングモード間の前記インターバルを減少させる
ようにさらに構成される、請求項３１に記載のＮＦＣデバイス。
【請求項３７】
前記ＲＦアクティビティモジュールは、
第１の時間と、前記第１の時間の後の第２の時間とにおいて、前記第１のＲＡＴの前記信号強度値を監視し、
前記第１の時間と前記第２の時間の間の前記信号強度値における変化に対して比例して、ポーリングモード間の前記インターバルを減少させる
ようにさらに構成される、請求項３６に記載のＮＦＣデバイス。
【請求項３８】
前記ＲＦアクティビティモジュールは、前記第１のＮＦＣデバイスについての電力消費効率を改善するように、ポーリングモード間の前記インターバルを修正するようにさらに構成される、請求項３１に記載のＮＦＣデバイス。
【請求項３９】
前記第１のＲＡＴは、ＦｌａｓｈＬｉｎＱと、ＷｉＭｅｄｉａと、Ｂｌｕｅｔｏｏｔｈと、ＺｉｇＢｅｅと、ＩＥＥＥ ８０２．１１規格に基づくＷｉ−Ｆｉと、から成るグループのうちの１つに基づく無線通信システムをサポートするＲＡＴを含む、請求項３１に記載のＮＦＣデバイス。
【請求項４０】
前記第２のＮＦＣデバイスは、ピアＮＦＣデバイスと、リーダデバイスと、ライタデバイスと、タグと、カードと、から成るグループのうちの１つである、請求項３１に記載のＮＦＣデバイス。
【発明の詳細な説明】
【技術分野】
【０００１】
[0001]  開示される態様は、一般的には、デバイス間および／またはデバイス内の通信に関し、詳細には、１つまたは複数の無線アクセス技術（ＲＡＴ）と関連付けられたＲＦアクティビティを監視することを通じて近距離無線通信（ＮＦＣ：near field communication）無線周波数（ＲＦ）発見を改善するための方法およびシステムに関する。
【背景技術】
【０００２】
[0002]  技術の進歩は、より小型で、より強力なパーソナルコンピューティングデバイスをもたらした。例えば、それぞれ小型で、軽く、かつユーザによって容易に持ち運ばれることができる携帯用無線電話、携帯情報端末（ＰＤＡ）、およびページングデバイスなどの無線コンピューティングデバイスを含む様々な携帯用パーソナルコンピューティングデバイスが現在存在している。より具体的には、例えば、携帯用無線電話は、無線ネットワーク上で音声およびデータパケットを通信するセルラ電話をさらに含む。多くのこのようなセルラ電話は、絶えず増大するコンピューティング能力とともに製造され、したがって、小型のパーソナルコンピュータおよびハンドヘルドＰＤＡと同等になりつつある。さらに、このようなデバイスは、セルラ通信、無線ローカルエリアネットワーク（ＷＬＡＮ）通信、ＮＦＣ等のような、様々な周波数および適用可能なカバレッジエリアを使用する通信を可能にする。
【０００３】
[0003]  一般に、ＮＦＣは、ユーザがそれらを共に近づける（bringing them together）だけでタスクを実行することを可能にする「タッチ・トゥ・ドゥ（"touch to do"）」技術であると理解されている。ハンドヘルドデバイスにおいて展開される場合、ＮＦＣは、単純および直観的な方法でタグ、リーダ／ライタ、およびその他のデバイスと対話可能であることの要望と、平均的なバッテリの消耗に過剰な影響を及ぼすことを回避する必要性との間の対立に直面する。したがって、インプリメンテーションは、応答性と電力消費との間のトレードオフに直面する。デバイスが他のＮＦＣデバイスを探すことに費やす時間が多いほど、それらはより速く接続するであろうが、バッテリの消耗もより高い。したがって、現在の設計（current designs）は、平均的なスタンバイ電流を著しく追加することなく良好なユーザ体験を与えるために、ポーリング（polling）およびリスニング（listening）に費やす適切な時間量を定義するように試みる。デバイスが所与の状況における最善な妥協をするためには、それが別のＮＦＣデバイスを発見する可能性を知らされていれば有益である。
【０００４】
[0004]  したがって、他の検出されたＲＦアクティビティに基づいてポーリング＆リスニングの時間（times）を管理するための改善された装置および方法が望ましくありうる。
【発明の概要】
【０００５】
[0005]  以下は、１つまたは複数の態様の概要を示し、そのような態様の基本的な理解を提供する。この概要は、企図されるすべての態様の広範な概観ではなく、また、すべての態様の主要または重要な要素を特定するようにも、任意またはすべての態様の範囲を定めるようにも意図されない。その目的は、後に示されるより詳細な説明への前置きとして、１つまたは複数の態様形式のいくつかの概念を示すことである。
【０００６】
[0006]  様々な態様が、１つまたは複数のＲＡＴと関連付けられたＲＦアクティビティを監視することを通じてＮＦＣ ＲＦ発見を改善することに関して説明される。１つの例では、第１のＮＦＣデバイスが、第１のＲＡＴおよびＮＦＣの両方を使用するように構成されうる。第１のＮＦＣデバイスは、第２のＮＦＣデバイスがしきい値内にある少なくともより高い可能性があるかどうかを決定するために、第１のＲＡＴ上のＲＦアクティビティを監視しうる。ＮＦＣデバイスはまた、この決定に基づいて、ＮＦＣ ＲＦ発見ループにおけるポーリングモード間の少なくとも１つのインターバルを修正するように構成されうる。
【０００７】
[0007]  関連する態様によると、方法が、１つまたは複数のＲＡＴと関連付けられたＲＦアクティビティを監視することを通じてＮＦＣ ＲＦ発見を改善するためのメカニズムを提供する。この方法は、第１のＮＦＣデバイスによって使用される第１のＲＡＴ上のＲＦアクティビティを監視することを含みうる。一態様では、第１のＲＡＴは、第１のＮＦＣデバイスによって使用されるＮＦＣ ＲＦ技術とは異なりうる。さらに、この方法は、第１のＲＡＴの監視されたＲＦアクティビティに基づいて、第２のＮＦＣデバイスがしきい値範囲（threshold range）内にある少なくともより高い可能性を決定することを含みうる。この方法はまた、この決定に基づいて、ＮＦＣ ＲＦ発見ループにおけるポーリングモード間の少なくとも１つのインターバルを修正することを含みうる。
【０００８】
[0008]  別の態様が、通信装置に関連する。この通信装置は、第１のＮＦＣデバイスによって使用される第１のＲＡＴ上のＲＦアクティビティを監視するための手段を含みうる。一態様では、第１のＲＡＴは、第１のＮＦＣデバイスによって使用されるＮＦＣ ＲＦ技術とは異なりうる。さらに、この通信装置は、第１のＲＡＴの監視されたＲＦアクティビティに基づいて、第２のＮＦＣデバイスがしきい値範囲内にある少なくともより高い可能性を決定するための手段を含みうる。この通信装置はまた、この決定に基づいて、ＮＦＣ ＲＦ発見ループにおけるポーリングモード間の少なくとも１つのインターバルを修正するための手段を含みうる。
【０００９】
[0009]  別の態様が、通信装置に関連する。この装置は、第１のＮＦＣデバイスによって使用される第１のＲＡＴ上のＲＦアクティビティを監視するように構成されたＲＦアクティビティモジュールを含みうる。一態様では、第１のＲＡＴは、第１のＮＦＣデバイスによって使用されるＮＦＣ ＲＦ技術とは異なりうる。このＲＦアクティビティモジュールはまた、第１のＲＡＴの監視されたＲＦアクティビティに基づいて、第２のＮＦＣデバイスがしきい値範囲内にある少なくともより高い可能性を決定するように構成されうる。このＲＦアクティビティモジュールは、この決定に基づいて、ＮＦＣ ＲＦ発見ループにおけるポーリングモード間の少なくとも１つのインターバルを修正するようにさらに構成されうる。
【００１０】
[0010]  別の態様が、コンピュータプログラム製品に関連し、これは、第１のＮＦＣデバイスによって使用される第１のＲＡＴ上のＲＦアクティビティを監視するためのコードを備えたコンピュータ可読媒体を有しうる。一態様では、第１のＲＡＴは、第１のＮＦＣデバイスによって使用されるＮＦＣ ＲＦ技術とは異なりうる。このコンピュータ可読媒体は、第１のＲＡＴの監視されたＲＦアクティビティに基づいて、第２のＮＦＣデバイスがしきい値範囲内にある少なくともより高い可能性を決定するためのコードを含みうる。このコンピュータ可読媒体はまた、この決定に基づいて、ＮＦＣ ＲＦ発見ループにおけるポーリングモード間の少なくとも１つのインターバルを修正するためのコードを含みうる。
【００１１】
[0011]  前述した目的および関連する目的を達成するために、１つまたは複数の態様は、以下に十分に説明され、かつ特許請求の範囲において具体的に示される特徴を備える。以下の説明および添付図面は、１つまたは複数の態様のある特定の例示的な特徴を詳細に記載する。しかしながら、これらの特徴は、様々な態様の原理が用いられうる様々な方法のうちのほんの少数を示し、本説明は、すべてのこのような態様およびそれらの同等物を含むように意図される。
【図面の簡単な説明】
【００１２】
[0012]  これら開示される態様は、開示される態様を限定するためでなく、例示するために提供される添付図面と併せて以下に説明され、ここで、同様の表記は同様の要素を示す。
【図１】図１は、一態様による、無線通信システムのブロック図である。
【図２】図２は、一態様による、無線通信システムの概略図である。
【図３】図３は、一態様による、ＮＦＣ環境のブロック図である。
【図４】図４は、一態様による、互いから様々な距離にあるＮＦＣ環境ＮＦＣデバイスのブロック図である。
【図５】図５は、一態様による、１つまたは複数のＲＡＴと関連付けられたＲＦアクティビティを監視することを通じてＮＦＣ ＲＦ発見を改善するためのＮＦＣデバイスの例を説明するフローチャートである。
【図６】図６は、一態様による、１つまたは複数のＲＡＴと関連付けられたＲＦアクティビティを監視することを通じてＮＦＣ ＲＦ発見を改善するためのＮＦＣデバイスの別の例を説明するフローチャートである。
【図７】図７は、一態様による、通信デバイスの実例的なアーキテクチャの機能ブロック図である。
【図８】図８は、一態様による、１つまたは複数のＲＡＴと関連付けられたＲＦアクティビティを監視することを通じてＮＦＣ ＲＦ発見を改善するための実例的な通信システムのブロック図である。
【詳細な説明】
【００１３】
[0021]  様々な態様が、ここで図面を参照して説明される。以下の記述では、説明の目的で、多くの特定の詳細が、１つまたは複数の態様についての完全な理解を提供するために記載される。しかしながら、このような（複数を含む）態様は、これら特定の詳細なしで実現されうることが理解されるべきである。
【００１４】
[0022]  一般に、近距離無線通信（ＮＦＣ）は、ユーザがＮＦＣデバイスをタグ、ピア、リーダ等と共に近づけるだけでタスクを実行することを可能にする「タッチ・トゥ・ドゥ（"touch to do"）」技術であると理解されている。ＮＦＣがハンドヘルドデバイスにおいて展開される場合、それは、単純および直観的な方法でタグ、リーダ／ライタ、およびその他のデバイスと対話可能であることと、平均的なバッテリの消耗に過剰な影響を及ぼすことを回避することとの間の対立に直面する。デバイスが他のＮＦＣデバイスを探すことに費やす時間が多いほど、それらはより速く接続するであろうが、バッテリの消耗もより高い。デバイスが所与の状況における最善な妥協をするためには、それが別のＮＦＣデバイスを発見する可能性を知らされていれば有益である。ＮＦＣ通信の動作を制御するモジュールが別のＮＦＣデバイスが近くにあることを通知された場合、このＮＦＣデバイスは、これらデバイスが互いをより速く発見することができるように、ＮＦＣアクティビティを増大させうる。
【００１５】
[0023]  近い将来の（impending）ＮＦＣ使用の可能性が上昇したという決定に基づいて、ＮＦＣ対応デバイス（NFC enabled device）は、ポーリングおよび／またはリスニングに費やす時間量を増大させるために、ＮＦＣ ＲＦ発見を再調整（retune）しうる。したがって、これらデバイスが、ＮＦＣ通信が可能な距離に達した場合、これらデバイスは、潜在的に互いをより速く発見する可能性が高くなり、改善されたユーザ体験をもたらす。反対に、１つまたは複数のＰＡＮ ＲＡＴと関連付けられたＲＦアクティビティ量の減少が存在する場合、これらＮＦＣ対応デバイスが離れている可能性はより高く、したがって、これらデバイスは、電流／電力消費を低減させるために、ポーリングおよび／またはリスニングを低減させるようにＮＦＣ ＲＦ発見を再調整することができる。
【００１６】
[0024]  図１は、本発明の様々な典型的な実施形態による、無線通信システム１００を例示する。入力電力１０２は、エネルギー伝送（energy transfer）を提供するための放射された場（radiated field）１０６を発生させるために送信機１０４に供給される。受信機１０８は、放射された場１０６に結合し、出力電力１１０に結合されたデバイス（図示せず）によって蓄積または消費するための出力電力１１０を発生する。送信機１０４と受信機１０８の両方は、距離１１２だけ分離されている。典型的な実施形態では、送信機１０４および受信機１０８は相互共振関係（mutual resonant relationship）に従って構成され、受信機１０８の共振周波数と送信機１０４の共振周波数とが非常に近い場合、受信機１０８が放射された場１０６の「近接場（near-field）」に位置するとき、送信機１０４と受信機１０８の間の伝送損失は最小になる。
【００１７】
[0025]  送信機１０４は、エネルギー送信のための手段を提供するための送信アンテナ１１４をさらに含む。受信機１０８は、エネルギー受信のための手段として受信アンテナ１１８を含む。送信アンテナおよび受信アンテナは、それに関連する適用例およびデバイスに従ってサイズ決定される。上述したように、エネルギーの大部分を電磁波で遠距離場に伝搬するのではなく、送信アンテナの近接場におけるエネルギーの大部分を受信アンテナに結合することによって効率的なエネルギー伝送が行われる。この近接場にある場合、結合モードが、送信アンテナ１１４と受信アンテナ１１８との間に生じうる。この近距離結合が行われるアンテナ１１４および１１８の周りのエリアを、本明細書では結合モード領域と呼ぶ。
【００１８】
[0026]  図２は、実例的な近接場無線通信システムの概略図である。送信機２０４は、発振器２２２と、電力増幅器２２４と、フィルタおよび整合回路２２６とを含む。発振器は、調整信号２２３に応答して調整されうる、所望の周波数で信号を発生するように構成される。発振器信号は、制御信号２２５に応答する増幅量で電力増幅器２２４によって増幅されうる。フィルタおよび整合回路２２６は、高調波または他の不要な周波数をフィルタ除去し、送信機２０４のインピーダンスを送信アンテナ２１４に整合させるために含まれうる。
【００１９】
[0027]  受信機２０８は、図２に示されるようにバッテリ２３６を充電するため、または受信機に結合されたデバイス（図示せず）に電力供給するために、ＤＣ電力出力を発生するための整流器およびスイッチング回路２３４と整合回路２３２とを含みうる。整合回路２３２は、受信機２０８のインピーダンスを受信アンテナ２１８に整合させるために含まれうる。受信機２０８および送信機２０４は、（例えば、Ｂｌｕｅｔｏｏｔｈ（登録商標）、ｚｉｇｂｅｅ（登録商標）、セルラ等の）別個の通信チャネル２１９上で通信しうる。
【００２０】
[0028]  受信機２０８は、図２に示されるようにバッテリ２３６を充電するため、または受信機に結合されたデバイス（図示せず）に電力供給するために、ＤＣ電力出力を発生するための整流器およびスイッチング回路２３４と整合回路２３２とを含みうる。整合回路２３２は、受信機２０８のインピーダンスを受信アンテナ２１８に整合させるために含まれうる。受信機２０８および送信機２０４は、（例えば、Ｂｌｕｅｔｏｏｔｈ（登録商標）、ｚｉｇｂｅｅ（登録商標）、セルラ等の）別個の通信チャネル１１９上で通信しうる。
【００２１】
[0029]  図３を参照すると、一態様による、通信ネットワーク３００のブロック図が例示される。通信ネットワーク３００は、通信デバイス３１０を含むことができ、それは、アンテナ３２４を通じて、１つまたは複数のＮＦＣ技術３２６（例えば、ＮＦＣ−Ａ、ＮＦＣ−Ｂ、ＮＦＣ−Ｆ等）を使用して、リモートＮＦＣデバイス３３０と通信状態にあることができる。一態様では、リモートＮＦＣデバイス３３０および／または通信デバイス３１０は、１つまたは複数のＲＦプロトコル３３６を使用して、１つまたは複数のＲＦインタフェース３３４を通じて、ＮＦＣ通信モジュール３３２を通じて通信するように動作可能でありうる。別の態様では、通信デバイス３１０は、アクセスネットワークおよび／またはコアネットワーク（例えば、ＣＤＭＡネットワーク、ＧＰＲＳネットワーク、ＵＭＴＳネットワーク、およびその他のタイプの有線および無線の通信ネットワーク）に接続されるように動作可能でありうる。さらに、リモートＮＦＣデバイス３３０は、リモートＮＦＣデバイスが、それに限定されるものではないが、ＦｌａｓｈＬｉｎＱ、ＷｉＭｅｄｉａ、Ｂｌｕｅｔｏｏｔｈ、ＺｉｇＢｅｅ、ＩＥＥＥ ８０２．１１規格に基づくＷｉ−Ｆｉ等のような、ＲＦ技術を使用することを可能にするＲＦ通信モジュール３３５を含みうる。通信デバイス３１０は、それに限定されるものではないが、ＲＦ通信モジュール３３５と関連付けられたＲＦアクティビティを監視するように動作可能でありうるパーソナルエリアネットワーク（ＰＡＮ）トランシーバ３５６のような、トランシーバ３５６を含みうる。任意の態様では、ＲＦ通信モジュール３３５は、ＲＦ技術（例えば、Ｂｌｕｅｔｏｏｔｈ ＬＥ）を使用して通信されるパラメータ信号を含むように動作可能であるＮＦＣプレゼンスパラメータモジュール（NFC presence parameter module）３３７を含みうる。言い換えれば、ＮＦＣプレゼンスパラメータモジュール３３７は、ＮＦＣについてのコロケート（co-located）サポートを通知するために、ＲＦ通信モジュール３３５によって通信される第１のＲＡＴを使用しうる。このような態様では、ＰＡＮトランシーバ３５６は、ＲＦ通信モジュール３３５によって通信されるパラメータを受信および復号するように動作可能でありうる。別の態様では、リモートＮＦＣデバイス３３０は、それに限定されるものではないが、リモートＮＦＣタグ、リーダ／ライタデバイス、ピアイニシエータデバイス、リモートピアターゲットデバイス、カードエミュレータ等を含みうる。
【００２２】
[0030]  通信デバイス３１０は、ＮＣＩ ３２０を含みうる。一態様では、ＮＣＩ ３２０は、デバイスホスト３２０とＮＦＣコントローラ３１２の間の通信を可能にするように動作可能でありうる。
【００２３】
[0031]  通信デバイス３１０は、ＮＦＣコントローラ（ＮＦＣＣ）３１２を含みうる。一態様では、ＮＦＣＣ ３１２は、ＲＦインタフェースモジュール３１４を含みうる。ＲＦインタフェースモジュール３１４は、ＮＦＣベースの通信を可能にするように動作可能でありうる。ＤＨ ３４０は、ＮＦＣベースの通信を可能にすることに関連付けられる様々な機能を実行するようにＮＦＣＣ ３１２に指示する（prompt）ためのコマンドを生成するように動作可能でありうる。
【００２４】
[0032]  通信デバイス３１０は、ＲＦアクティビティモジュール３５０を含みうる。ＲＦアクティビティモジュール３５０は、ＮＦＣ ＲＦ発見ループ修正モジュール３５２を含みうる。一態様では、ＮＦ ＲＦ発見ループ修正モジュール３５２は、ＲＦ発見ループプロセスの様々な態様を修正するように動作可能でありうる。例えば、ＮＦＣ ＲＦ発見ループ修正モジュール３５２は、その間に通信デバイス３１０がポーリングする／リスニングするインターバルを修正することができ、各ＮＦＣ ＲＦ技術（例えば、ＮＦＣ−Ａ、ＮＦＣ−Ｂ、およびＮＦＣ−Ｆ）についてのポーリングの間のインターバルを修正することができ、第１のＲＡＴからの信号強度が、しきい値を超えているということ、しきい値レートよりも速く増大しているということ等の決定、またはこれらの任意の組合せに基づいて、様々なＲＦ発見ループパラメータを修正することができる。任意の態様では、ＲＦアクティビティモジュール３５０は、リモートＮＦＣデバイス３３０におけるＮＦＣについてのコロケートサポートを通知しうる第１のＲＡＴ信号（例えば、Ｂｌｕｅｔｏｏｔｈ ＬＥ）におけるパラメータの存在を検出するように動作可能でありうるＮＦＣプレゼンスパラメータモジュール３５４を含みうる。
【００２５】
[0033]  したがって、通信デバイス３１０が第２のＮＦＣデバイスの存在の増大された可能性を検出することを支援するために、ＮＦＣ対応デバイスによって第１のＲＡＴのＲＦアクティビティを使用しうる、通信ネットワーク３００が説明される。
【００２６】
[0034]  図４は、一態様による、互いから様々な距離（４０１、４０３、４０５）にある通信デバイス（４０２、４０４）を有するＮＦＣ通信環境４００のブロック図である。各通信デバイス（４０２、４０４）は、第１のカバレッジエリア４０８を有する第１のＲＡＴ ４０６と第２のカバレッジエリア４１２を有するＮＦＣ ＲＦ技術４１０を使用するように動作可能でありうる。一態様では、第１のＲＡＴは、それに限定されるものではないが、ＦｌａｓｈＬｉｎＱ、ＷｉＭｅｄｉａ、Ｂｌｕｅｔｏｏｔｈ、ＺｉｇＢｅｅ、ＩＥＥＥ ８０２．１１規格に基づくＷｉ−Ｆｉ等のような、パーソナルエリアネットワーク（ＰＡＮ）をサポートするＲＡＴでありうる。一態様では、リモートＮＦＣエンドポイント４０４は、それに限定されるものではないが、リモートＮＦＣタグ、リーダ／ライタデバイス、ピアイニシエータデバイス、リモートピアターゲットデバイス、カードエミュレータ等を含みうる。
【００２７】
[0035]  距離４０１では、通信デバイス４０２は、第１のＲＡＴ ４０６の第１のカバレッジエリア４０８外にありうる。このような態様では、通信デバイス４０２は、ＮＦＣデバイス電力使用を最小化する方法において、ＮＦＣ通信と関連付けられたＲＦ発見ループを動作しうる。
【００２８】
[0036]  距離４０３では、通信デバイス４０２は、第１のＲＡＴ ４０６の第１のカバレッジエリア４０８内にありうるが、ＮＦＣ ＲＦ技術４１０を使用してＮＦＣ接続を確立するには、リモートＮＦＣエンドポイント４０４に対して十分な近さにない。このような距離４０３において、通信デバイス４０２は、ＮＦＣ ＲＦ発見ループにおけるポーリングモード間のインターバルを修正しうる。一態様では、通信デバイス４０２は、各ＮＦＣ ＲＦ技術についてのポーリングの間のインターバルを修正しうる。一態様では、ＮＦＣデバイスは、監視された信号強度に基づいて、ポーリングモード間のインターバルを減少させうる。一態様では、ＮＦＣデバイスは、第１の時間と第２の時間の間の信号強度値における変化に対して比例して、ポーリングモード間のインターバルを減少させうる。一態様では、ＮＦＣデバイスは、第１のＮＦＣデバイスについての電力消費効率を改善するように、ポーリングモード間のインターバルを修正しうる。
【００２９】
[0037]  距離４０５では、通信デバイス４０２は、通信デバイス（４０２、４０４）がＮＦＣ ＲＦ技術４１０のカバレッジエリア４１２内になるように、リモートＮＦＣエンドポイント４０４の近接内に位置しうる。このような態様では、少なくとも一部はＮＦＣ ＲＦ発見ループにおけるポーリングモード間の修正されたインターバルにより、通信デバイス（４２０、４０４）は、ＮＦＣ ＲＦ発見ループが修正されなかった場合に比べて、比較的より速く互いの存在を検出しうる。
【００３０】
[0038]  したがって、通信デバイス４０２が、電力消費全体に対する低減された影響により接続効率を改善するために、ＮＦＣ ＲＦ発見ループ特性を修正しうる、実例的なＮＦＣ通信環境４００が開示される。
【００３１】
[0039]  図５および図６は、提示される主題事項の様々な態様による様々な手法（methodologies）を例示する。説明の簡略化の目的で、これら手法は、一連の動作またはシーケンスステップとして説明および示されるが、いくつかの動作は、ここに説明および示されるものとは異なる順序で生じ、および／または他の動作と同時並行に生じうるので、特許請求される主題事項は、動作の順序によって限定されないことが理解および認識されるべきである。例えば、当業者であれば、手法が、状態図におけるような一連の相互関係がある状態またはイベントとして代替的に表されうることを理解および認識するであろう。さらに、特許請求される主題事項に従って手法をインプリメントするために、すべての例示された動作が必要とされうるわけではない。加えて、以下および本明細書の全体にわたって開示される手法は、このような手法をコンピュータにトランスポートすることおよび伝送することを容易にするために、製造品上に記憶されることが可能であることが、さらに認識されるべきである。ここで使用される場合、製造品という用語は、任意のコンピュータ可読デバイス、キャリア、または媒体からアクセス可能なコンピュータプログラムを包含するように意図される。
【００３２】
[0040]  図５は、第２のＮＦＣデバイスの存在の増大された可能性を検出することを支援するために、ＮＦＣ対応デバイスによって第１のＲＡＴのＲＦアクティビティを使用する、実例的なフローチャートプロセス５００を例示する。
【００３３】
[0041]  ブロック５０２において、ＮＦＣデバイスは、このＮＦＣデバイスと関連付けられた第１のＲＡＴのＲＦアクティビティを監視しうる。多数のより短い距離の（shorter-range）ＲＡＴが、モバイルフォン、ヘッドセット、およびラップトップのようなハンドヘルドデバイスにおいて幅広く展開されている。セルラベースのＲＡＴよりも短距離ではあるが、この距離は、一般的にＮＦＣのものよりも大きくなりうる。したがって、ハンドヘルドデバイスは、それがＮＦＣ上で通信することが可能になる前に、非ＮＦＣ ＲＡＴのＲＦアクティビティを監視する。一態様では、第１のＲＡＴは、それに限定されるものではないが、ＦｌａｓｈＬｉｎＱ、ＷｉＭｅｄｉａ、Ｂｌｕｅｔｏｏｔｈ、ＺｉｇＢｅｅ、ＩＥＥＥ ８０２．１１規格に基づくＷｉ−Ｆｉ等のような、パーソナルエリアネットワーク（ＰＡＮ）および／またはローカルエリアネットワーク（ＬＡＮ）をサポートするＲＡＴでありうる。
【００３４】
[0042]  １つの任意の態様では、ブロック５０４において、ＮＦＣデバイスは、監視されたＲＦアクティビティが、第２のＮＦＣデバイスが存在するより高い可能性を示すかどうかを決定しうる。一態様では、より高い可能性は、しきい値信号強度を超えて増大するＲＦアクティビティによって示されうる。別の態様では、より高い可能性は、ＲＦアクティビティが経時的に強度（intensity）を増大しているという決定によって示されうる。例えば、コロケートＰＡＮ ＲＡＴが、Ｂｌｕｅｔｏｏｔｈ、ＺｉｇＢｅｅ等のような、ＲＦアクティビティの増大する量を検出した場合、ＮＦＣ対応デバイスが別のハンドヘルドデバイスに近づいている、したがって、それがＮＦＣ対応でありうる別のデバイスに近づいているという可能性が上昇する。別の態様では、それに限定されるものではないが、名刺のような「タッチ・トゥ・エクスチェンジ（"touch to exchange"）」アイテムについては、このようなアプローチのプロファイルは、信号強度が増大するレートによって識別されうる。ブロック５０４において、ＮＦＣデバイスが、第２のＮＦＣデバイスの存在の増大された可能性がないと決定した場合には、このプロセスは、ブロック５０２へ戻りうる。
【００３５】
[0043]  別の任意の態様では、ブロック５０６において、ＮＦＣデバイスは、監視されたＲＦアクティビティが、第２のＮＦＣデバイスの存在を示すパラメータを有する信号を含むかどうかを決定しうる。ここで使用される場合、パラメータは、それに限定されるものではないが、ビーコン、メッセージ、変数（variable）等のような、任意の信号および／または信号コンテンツを称しうる。一態様では、第２のＮＦＣデバイスは、ＮＦＣについてのコロケートサポートを通知するために、第１のＲＡＴを使用することができ、したがって、この情報を検出した別のデバイスは、それが、ＮＦＣコンポーネントが（ポーリング、リスニング、または両方の組合せの何れかによって）サーチする時間量を増大させることを選択することができるように、ＮＦＣの使用の増大された可能性があることを推測（infer）することができる。この動作は、コロケートＲＡＴの距離が、大幅にではないが、ＮＦＣよりも長い場合に、特に有効でありうる。距離が大きすぎる場合、これらデバイスは、互いの近くのどこにもないことがありえ、よって、ＮＦＣアクティビティを増大させることは、不要な電力消費をもたらしうる。有効な機能性を提供しうる１つのＲＡＴが、Ｂｌｕｅｔｏｏｔｈ（例えば、Ｂｌｕｅｔｏｏｔｈ ＬＥ）である。Ｂｌｕｅｔｏｏｔｈは、一般に、それに限定されるものではないが、ハンドセット、ラップトップ、タブレット、ヘッドセット等のような、デバイスの範囲に含まれることができ、アクティブ状態にしておくことができ、（ＮＦＣアクティビティを増大するのに十分な時間を提供しうる）約１０メートルの距離を有し、それによってＮＦＣ対応デバイスが（例えば、Ｂｌｕｅｔｏｏｔｈ ＬＥのような）その能力を通知しうるメカニズムを定義することができる。ブロック５０６において、ＮＦＣデバイスが、ＲＦアクティビティが第２のＮＦＣデバイスの存在を示すパラメータを有する信号を含まないと決定した場合には、このプロセスは、ブロック５０２へ戻りうる。
【００３６】
[0044]  一方で、ブロック５０４において、監視されたＲＦアクティビティが第２のＮＦＣデバイスの存在のより高い可能性を示す場合、および／または、ブロック５０６において、監視されたＲＦアクティビティが第２のＮＦＣデバイスの存在を示すパラメータを有する信号を含む場合には、ブロック５０８において、ＮＦＣデバイスは、ＮＦＣ ＲＦ発見ループにおけるポーリングモード間の少なくとも１つのインターバルを修正しうる。例えば、第２のＮＦＣデバイスが存在する増大された可能性がある場合、ＮＦＣデバイスは、ＮＦＣコンポーネントが（ポーリング、リスニング、または両方の組合せの何れかによって）サーチする時間量を増大させうる。別の態様では、ＮＦＣデバイスは、１つまたは複数の特定のＮＦＣ ＲＦ技術についてのポーリングの発生を増大させうる。例えば、第２のＮＦＣデバイスがピアデバイスであると決定されうる場合には、第１のＮＦＣデバイスは、ＮＦＣ ＲＦ技術ＮＦＣ−ＡおよびＮＦＣ−Ｆを、ＮＦＣ−Ｂに比べて比較的より頻繁にポーリングしうる。
【００３７】
[0045]  したがって、ＮＦＣデバイスが、第２のＮＦＣデバイスの存在の増大された可能性を検出することを支援するために、ＮＦＣ対応デバイスによって第１のＲＡＴのＲＦアクティビティを使用しうる、プロセスが開示される。
【００３８】
[0046]  図６は、第２のＮＦＣデバイスの存在の増大された可能性を検出することを支援するために、ＮＦＣ対応デバイスによって第１のＲＡＴのＲＦアクティビティを使用するための実例的なプロセス６００である。
【００３９】
[0047]  ブロック６０２において、ＮＦＣ対応デバイスは、第１のＮＦＣデバイスによって使用される第１のＲＡＴのＲＦアクティビティを監視しうる。一態様では、第１のＲＡＴは、第１のＮＦＣデバイスによって使用されるＮＦＣ ＲＦ技術とは異なりうる。別の態様では、ＮＦＣデバイスは、第１の時間と、第１の時間の後の第２の時間とにおいて、第１のＲＡＴの信号強度値について監視しうる。一態様では、ＮＦＣデバイスは、第１のＲＡＴの信号強度値について監視しうる。一態様では、第１のＲＡＴは、ＦｌａｓｈＬｉｎＱ、ＷｉＭｅｄｉａ、Ｂｌｕｅｔｏｏｔｈ、ＺｉｇＢｅｅ、ＩＥＥＥ ８０２．１１規格に基づくＷｉ−Ｆｉ等に基づく無線通信システムをサポートするＲＡＴを含みうる。
【００４０】
[0048]  任意の態様では、ブロック６０４において、ＮＦＣデバイスは、第２のＮＦＣデバイスの存在を示すパラメータを含む信号を検出しうる。ここで使用される場合、パラメータは、それに限定されるものではないが、ビーコン、メッセージ、変数（variable）等のような、任意の信号および／または信号コンテンツを称しうる。
【００４１】
[0049]  ブロック６０６において、ＮＦＣデバイスは、第１のＲＡＴの監視されたＲＦアクティビティに基づいて、第２のＮＦＣデバイスがしきい値範囲内にある少なくともより高い可能性を決定しうる。一態様では、ＮＦＣデバイスは、第２の時間において監視された第１のＲＡＴの信号強度値が、第１の時間において監視された第１のＲＡＴの信号強度値よりも大きいことを決定しうる。任意のブロック６０４と関連付けられる任意の態様では、ＮＦＣデバイスは、信号におけるパラメータの存在に基づいて、第２のＮＦＣデバイスがしきい値範囲内にあることを決定しうる。態様において、第２のＮＦＣデバイスは、ピアＮＦＣデバイス、リーダデバイス、ライタデバイス、タグ、カード等でありうる。
【００４２】
[0050]  ブロック６０８において、ＮＦＣデバイスは、この決定に基づいて、ＮＦＣ ＲＦ発見ループにおけるポーリングモード間の少なくとも１つのインターバルを修正しうる。一態様では、ＮＦＣデバイスは、各ＮＦＣ ＲＦ技術についてのポーリングの発生を修正しうる。一態様では、ＮＦＣデバイスは、監視された信号強度に基づいて、ポーリングモード間のインターバルを減少させうる。一態様では、ＮＦＣデバイスは、第１の時間と第２の時間の間の信号強度値における変化に対して比例して、ポーリングモード間のインターバルを減少させうる。一態様では、ＮＦＣデバイスは、第１のＮＦＣデバイスについての電力消費効率を改善するように、ポーリングモード間のインターバルを修正しうる。
【００４３】
[0051]  図３を参照しながら、ここで図７も参照すると、通信デバイス７００の実例的なアーキテクチャが例示される。図７に図示されるように、通信デバイス７００は、例えば、受信アンテナ（図示せず）から信号を受信し、受信された信号に対して典型的な動作（例えば、フィルタ、増幅、ダウンコンバート等）を実行し、調整された信号をデジタル化してサンプルを得る受信機７０２を備える。受信機７０２は、受信されたシンボルを復調し、チャネル推定のためにプロセッサ７０６にそれらを供給しうる復調器７０４を備えうる。プロセッサ７０６は、受信機７０２によって受信された情報を分析すること、および／または、送信機７２０による送信のための情報を生成すること専用のプロセッサ、デバイス７００の１つまたは複数のコンポーネントを制御するプロセッサ、および／または、受信機７０２によって受信された情報を分析し、送信機７２０による送信のための情報を生成することと、通信デバイス７００の１つまたは複数のコンポーネントを制御することとの両方を行うプロセッサでありうる。さらに、信号は、プロセッサ７０６によって処理された信号を変調しうる変調器７１８を通じて、送信機７２０による送信のために準備されうる。一態様では、通信デバイス７００は、それに限定されるものではないが、１つまたは複数のリモートＮＦＣデバイスからのＲＦアクティビティを監視するように動作可能でありうるＰＡＮトランシーバ７２２のような、トランシーバ７２２を含みうる。任意の態様では、ＰＡＮトランシーバ７２２は、リモートＮＦＣデバイスによって通信される、コロケートＮＦＣ能力を通知するパラメータを受信および復号するように動作可能でありうる。
【００４４】
[0052]  通信デバイス７００は、それに限定されるものではないが、プロセッサ７０６のような、様々なコンポーネントに動作可能に結合され、かつ、送信されるデータ、受信されたデータ、利用可能なチャネルに関する情報、ＴＣＰフロー、分析された信号および／または干渉強度に関連付けられたデータ、割り当てられたチャネルや電力やレート等に関する情報、および、ＮＦＣ接続確立を支援するためのその他任意の適切な情報を記憶しうる、メモリ７０８を追加で備えうる。
【００４５】
[0053]  さらに、プロセッサ７０６、および／またはＲＦアクティビティモジュール７６０は、通信デバイス７００によって使用される第１のＲＡＴのＲＦアクティビティを監視するための手段と、第１のＲＡＴの監視されたＲＦアクティビティに基づいて、第２のＮＦＣデバイスがしきい値範囲内にある少なくともより高い可能性を決定するための手段と、この決定に基づいて、ＮＦＣ ＲＦ発見ループにおけるポーリングモード間の少なくとも１つのインターバルを修正するための手段とを提供しうる。一態様では、第１のＲＡＴは、通信デバイス７００によって使用されるＮＦＣ ＲＦ技術とは異なりうる。
【００４６】
[0054]  ここに説明されるデータストア（例えば、メモリ７０８）は、揮発性メモリまたは不揮発性メモリのいずれかでありうるか、あるいは揮発性メモリと不揮発性メモリとの両方を含みうることが認識されるであろう。限定ではなく例として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含みうる。揮発性メモリは、外部キャッシュメモリとして動作するランダムアクセスメモリ（ＲＡＭ）を含みうる。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）などの多くの形態で利用可能である。主題のシステムおよび方法のメモリ７０８は、それに限定されることなく、これらのタイプのメモリおよびその他任意の適切なタイプのメモリを備えうる。
【００４７】
[0055]  通信デバイス７００は、ＮＦＣコントローラ７３０を含みうる。一態様では、ＮＦＣＣ ７３０は、ＲＦインタフェースモジュール７３２を含みうる。ＲＦインタフェースモジュール７３２は、ＮＦＣ通信を可能にするように動作可能でありうる。
【００４８】
[0056]  別の態様では、通信デバイス７００は、ＮＣＩ ７５０を含みうる。一態様では、ＮＣＩ ７５０は、ＮＦＣコントローラ７３０とデバイスホスト７３４の間の通信を可能にするように動作可能でありうる。ＮＣＩ ７５０は、リスニングモードおよび／またはポーリングモードで機能するように動作可能でありうる。
【００４９】
[0057]  別の態様では、通信デバイス７００は、ＲＦアクティビティモジュール７６０を含みうる。ＲＦアクティビティモジュール７６０は、ＮＦＣ ＲＦ発見ループ修正モジュール７６２を含みうる。一態様では、ＮＦＣ ＲＦ発見ループ修正モジュール７６２は、第１のＲＡＴを使用するための任意の前述されたメカニズムに基づいて、ＲＦ発見ループプロセスの様々な態様を修正するように動作可能でありうる。任意の態様では、ＲＦアクティビティモジュール７６０は、リモートＮＦＣデバイスにおけるＮＦＣについてのコロケートサポートを通知しうる第１のＲＡＴ信号（例えば、Ｂｌｕｅｔｏｏｔｈ ＬＥ）におけるパラメータの存在を検出するように動作可能でありうるＮＦＣプレゼンスパラメータモジュール７６４を含みうる。別の態様では、ＲＦアクティビティモジュール７６０は、図５および図６に関して説明されたプロセスを実行するように動作可能でありうる。
【００５０】
[0058]  加えて、通信デバイス７００は、ユーザインタフェース７４０を含みうる。ユーザインタフェース７４０は、通信デバイス７００への入力を発生させるための１つまたは複数の入力メカニズム７４２と、通信デバイス７００のユーザによる消費のための情報を発生させるための出力メカニズム７４４とを含みうる。例えば、入力メカニズム７４２は、キーまたはキーボード、マウス、タッチスクリーンディスプレイ、マイクロフォン等のようなメカニズムを含みうる。さらに、例えば、出力メカニズム７４４は、ディスプレイ、オーディオスピーカ、触覚フィードバックメカニズム等を含みうる。例示される態様では、出力メカニズム７４４は、画像またはビデオ形式のメディアコンテンツを示すように動作可能なディスプレイ、またはオーディオ形式のメディアコンテンツを示すためのオーディオスピーカを含みうる。
【００５１】
[0059]  図８は、一態様による、１つまたは複数のＲＡＴと関連付けられたＲＦアクティビティを監視することを通じてＮＦＣ ＲＦ発見を改善するように動作可能な実例的な通信システム８００の別のブロック図を図示する。例えば、システム８００は、通信デバイス（例えば、通信デバイス７００）の内部に少なくとも部分的に存在しうる。システム８００は、プロセッサ、ソフトウェア、またはこれらの組合せ（例えば、ファームウェア）によってインプリメントされる機能を表すものであることが可能な機能ブロックを含むものとして表されていることを認識されたい。システム８００は、連携して動作しうる電気コンポーネントの論理グループ８０２を含む。
【００５２】
[0060]  例えば、論理グループ８０２は、第１のＮＦＣデバイスによって使用される第１のＲＡＴのＲＦアクティビティを監視するための手段８０４を提供しうる電気コンポーネントを含みうる。一態様では、第１のＲＡＴは、第１のＮＦＣデバイスによって使用されるＮＦＣ ＲＦ技術とは異なりうる。別の態様では、監視するための手段８０４は、第１の時間と、第１の時間の後の第２の時間とにおいて、第１のＲＡＴの信号強度値を監視するための手段をさらに含みうる。なお別の態様では、監視するための手段８０４は、第２のＮＦＣデバイスの存在を示すパラメータを含む信号を検出するための手段を含みうる。このような態様では、パラメータは、第２のデバイスがコロケートＮＦＣ能力を含みうることを通知しうる。一態様では、監視するための手段８０４は、第１のＲＡＴの信号強度値を監視するための手段をさらに含みうる。一態様では、第１のＲＡＴは、ＦｌａｓｈＬｉｎＱ、ＷｉＭｅｄｉａ、Ｂｌｕｅｔｏｏｔｈ、ＺｉｇＢｅｅ、ＩＥＥＥ ８０２．１１規格に基づくＷｉ−Ｆｉ等に基づく無線通信システムをサポートするＲＡＴを含みうる。
【００５３】
[0061]  さらに、論理グループ８０２は、第１のＲＡＴの監視されたＲＦアクティビティに基づいて、第２のＮＦＣデバイスがしきい値範囲内にある少なくともより高い可能性を決定するための手段８０６を提供しうる電気コンポーネントを含みうる。一態様では、決定するための手段８０６は、第２の時間において監視された第１のＲＡＴの信号強度値が、第１の時間において監視された第１のＲＡＴの信号強度値よりも大きいことを決定するための手段を含みうる。別の態様では、決定するための手段８０６は、信号におけるパラメータの存在に基づいて、第２のＮＦＣデバイスがしきい値範囲内にあることを決定するための手段を含みうる。このような態様では、パラメータは、コロケートＮＦＣモジュールと接続することに関連づけられる構成情報を含みうる。態様において、第２のＮＦＣデバイスは、ピアＮＦＣデバイス、リーダデバイス、ライタデバイス、タグ、カード等でありうる。
【００５４】
[0062]  さらに、論理グループ８０２は、この決定に基づいて、ＮＦＣ ＲＦ発見ループにおけるポーリングモード間の少なくとも１つのインターバルを修正するための手段８０８を提供しうる電気コンポーネントを含みうる。一態様では、修正するための手段８０８は、各ＮＦＣ ＲＦ技術についてのポーリングの発生を修正するための手段を含みうる。一態様では、修正するための手段８０８は、監視された信号強度に基づいて、ポーリングモード間のインターバルを減少させるための手段を含みうる。一態様では、修正するための手段８０８は、第１の時間と第２の時間の間の信号強度値における変化に対して比例して、ポーリングモード間のインターバルを減少させるための手段を含みうる。一態様では、修正するための手段８０８は、第１のＮＦＣデバイスについての電力消費効率を改善するように、ポーリングモード間のインターバルを修正するための手段を含みうる。
【００５５】
[0063]  さらに、システム８００は、電気コンポーネント８０４、８０６、および８０８に関連付けられた機能を実行するための命令を保持し、電気コンポーネント８０４、８０６、８０８等によって使用されるまたは得られるデータを記憶するメモリ８１０を含みうる。メモリ８１０の外部にあるように示されているが、電気コンポーネント８０４、８０６、および８０８のうちの１つ以上が、メモリ８１０の内部に存在しうることも理解されるべきである。１つの例では、電気コンポーネント８０４、８０６、および８０８は、少なくとも１つのプロセッサを含みうる、あるいは、各電気コンポーネント８０４、８０６、および８０８は、少なくとも１つのプロセッサの対応するモジュールでありうる。さらに、追加または代替の例では、電気コンポーネント８０４、８０６、および８０８は、コンピュータ可読媒体を含むコンピュータプログラム製品であることができ、ここで、各電気コンポーネント８０４、８０６、および８０８は、対応するコードであることができる。
【００５６】
[0064]  本願で使用される場合、「コンポーネント」、「モジュール」、「システム」等の用語は、それに限定されるものではないが、ハードウェア、ファームウェア、ハードウェアとソフトウェアの組合せ、ソフトウェア、または実行中のソフトウェアのような、コンピュータ関連エンティティを含むように意図される。例えば、コンポーネントは、それに限定されるものではないが、プロセッサで実行中のプロセス、プロセッサ、オブジェクト、プログラムとして実行可能なファイル（executable）、実行スレッド、プログラム、および／またはコンピュータでありうる。例として、コンピューティングデバイスで実行中のアプリケーションとコンピューティングデバイスの両方が、コンポーネントでありうる。１つまたは複数のコンポーネントが、プロセスおよび／または実行スレッド内に存在することができ、１つのコンポーネントが、１つのコンピュータでローカライズされること、および／または、２つ以上のコンピュータ間で分散されることができる。加えて、これらのコンポーネントは、その上に記憶された様々なデータ構造を有する様々なコンピュータ可読媒体から実行されうる。これらコンポーネントは、信号によって、他のシステムを備えたインターネットのようなネットワークを介して別のコンポーネントと対話する１つのコンポーネントからのデータ、および／または、ローカルシステムや分散システム内の別のコンポーネントと対話する１つのコンポーネントからのデータのような、１つまたは複数のデータパケットを有する信号に従って、ローカル処理および／またはリモート処理によって通信しうる。
【００５７】
[0065]  さらに、本明細書では、様々な態様が、端末に関して説明され、それは、有線端末または無線端末でありうる。端末はまた、システム、デバイス、加入者ユニット、加入者局、移動局、モバイル、モバイルデバイス、遠隔局、モバイル機器（ＭＥ）、遠隔端末、アクセス端末、ユーザ端末、端末、通信デバイス、ユーザエージェント、ユーザデバイス、またはユーザ機器（ＵＥ）と称されうる。無線端末は、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または、無線モデムに接続されたその他の処理デバイスでありうる。さらに、本明細書では、様々な態様が、基地局に関して説明される。基地局は、（複数を含む）無線端末と通信するために利用され、アクセスポイント、ノードＢ、またはその他いくつかの用語で称されうる。
【００５８】
[0066]  さらに、「または（“or”）」という用語は、排他的な「または」ではなく、包括的な「または」を意味するように意図される。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用される冠詞「ａ」および「ａｎ」は、別段の規定がない限り、または単数形を示すことが文脈から明白でない限り、概して「１つまたは複数」を意味するものと解釈されるべきである。
【００５９】
[0067]  本明細書で説明された技術は、ＣＤＭＡ、ＴＤＭＡ、ＦＤＭＡ、ＯＦＤＭＡ、ＳＣ−ＦＤＭＡおよび他のシステムなどの、様々な無線通信システムのために使用されうる。「システム」および「ネットワーク」という用語は、しばしば交換可能に用いられる。ＣＤＭＡシステムは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ−ＣＤＭＡ）およびＣＤＭＡのその他の変形を含む。さらに、ｃｄｍａ２０００は、ＩＳ−２０００規格、ＩＳ−９５規格、およびＩＳ−８５６規格をカバーする。ＴＤＭＡシステムは、グローバル移動体通信システム（ＧＳＭ）（登録商標）のような無線技術をインプリメントしうる。ＯＦＤＭＡシステムは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュ−ＯＦＤＭＡ等のような無線技術をインプリメントしうる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、これは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥおよびＧＭＳは、「第３世代パートナシッププロジェクト」（３ＧＰＰ）と名付けられた機関からの文書に説明されている。さらに、ｃｄｍａ２０００およびＵＭＢは、「第３世代パートナシッププロジェクト２」（３ＧＰＰ２）と名付けられた機関からの文書に説明されている。さらに、このような無線通信システムは、対になっていない無認可のスペクトル、８０２．ｘｘ無線ＬＡＮ、ＢＬＵＥＴＯＯＴＨ（登録商標）、近距離無線通信（ＮＦＣ−Ａ、ＮＦＣ−Ｂ、ＮＦＣ−ｆ等）、およびその他任意の短距離または長距離の無線通信技術をしばしば使用するピアツーピア（例えば、モバイルツーモバイル）アドホックネットワークシステムを追加で含みうる。
【００６０】
[0068]  様々な態様または特徴が、多数のデバイス、コンポーネント、モジュール等を含みうるシステムに関して示される。様々なシステムは、追加のデバイス、コンポーネント、モジュール等を含んでもよく、および／または図面に関して説明されたデバイス、コンポーネント、モジュール等のすべてを含まなくてもよいことが理解および認識されるべきである。これらの手法の組合せも使用されうる。
【００６１】
[0069]  ここで開示された態様に関して説明された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタロジック、ディスクリートハードウェアコンポーネント、あるいはここに説明された機能を実行するように設計されたこれらの任意の組合せで、インプリメントまたは実行されうる。汎用プロセッサは、マイクロプロセッサでありうるが、代替において、このプロセッサは、任意の従来のプロセッサ、コントローラ、マイクロコントローラ、またはステートマシン（state machine）でありうる。プロセッサはまた、例えば、ＤＳＰとマイクロプロセッサの組合せ、複数のマイクロプロセッサ、ＤＳＰコアと連携した１つまたは複数のマイクロプロセッサ、あるいはその他任意のこのような構成である、コンピューティングデバイスの組合せとしてインプリメントされうる。さらに、少なくとも１つのプロセッサは、上述されたステップおよび／または動作の１つまたは複数を実行するように動作可能な１つまたは複数のモジュールを含みうる。
【００６２】
[0070]  さらに、ここに開示された態様に関して説明された方法またはアルゴリズムのステップおよび／または動作は、直接ハードウェアで、プロセッサによって実行されるソフトウェアモジュールで、またはこれら２つの組合せで、具現化（embodied）されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において周知のその他任意の形状の記憶媒体内に存在しうる。実例的な記憶媒体は、プロセッサが記憶媒体から情報を読み取り、記憶媒体に情報を書き込むことができるように、プロセッサに結合されうる。代替において、記憶媒体は、プロセッサと一体化されうる。さらに、いくつかの態様では、プロセッサおよび記憶媒体は、ＡＳＩＣ内に存在しうる。さらに、ＡＳＩＣは、ユーザ端末内に存在しうる。代替において、プロセッサおよび記憶媒体は、ユーザ端末内にディスクリートコンポーネントとして存在しうる。さらに、いくつかの態様では、方法またはアルゴリズムのステップおよび/または動作は、コンピュータプログラム製品に組み込まれうる、機械可読媒体および/またはコンピュータ可読媒体上のコードおよび/または命令の1つまたは任意の組合せ、あるいはそのセットとして存在しうる。
【００６３】
[0071]  １つまたは複数の態様では、説明された機能は、ハードウェア、ソフトウェア、ファームウェア、またはこれらの任意の組合せでインプリメントされうる。ソフトウェアでインプリメントされる場合、これら機能は、コンピュータ可読媒体上で、１つまたは複数の命令またはコードとして送信または記憶されうる。コンピュータ可読媒体は、１つの場所から別の場所へのコンピュータプログラムの転送を容易にする任意の媒体を含む、コンピュータ記憶媒体とコンピュータ通信媒体の両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または伝送するために使用可能であり、かつコンピュータによってアクセスされうるその他任意の媒体を備えうる。また、任意の接続も、コンピュータ可読媒体と称されうる。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、またはその他の遠隔ソースから送信される場合には、この同軸ケーブル、光ファイバーケーブル、ツイストペア、ＤＳＬ、または赤外線、電波、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれるべきである。
【００６４】
[0072]  上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
【図１】
2015525517.tif 000003
【図２】
2015525517.tif 000004
【図３】
2015525517.tif 000005
【図４】
2015525517.tif 000006
【図５】
2015525517.tif 000007
【図６】
2015525517.tif 000008
【図７】
2015525517.tif 000009
【図８】
2015525517.tif 000010
【国際調査報告】
2015525517.tif 000011
2015525517.tif 000012
2015525517.tif 000013